(57)【要約】【課題】ロール状の衛生用薄葉紙につき、取り出す際にねじれ難い衛生用薄葉紙収納容器を提供する。【解決手段】上面に開口部１ａを有し、ロール状の衛生用薄葉紙Ｐを開口部１ａから内部に収納する容器本体１と、容器本体１の開口部１ａを覆うように着脱自在に取り付けられ、容器本体１内部に通じる上孔部２１４ｄ及び下孔部２１４ｅが形成された蓋体２と、容器本体１内部に収納された衛生用薄葉紙Ｐを取り出す取出孔３ｂを有する取出部３と、を備え、蓋体２は、上孔部２１４ｄ及び下孔部２１４ｅと取出孔３ｂとが重なるようにして取出部３を保持する保持部２１４を有し、保持部２１４は、取出部３を、上下方向と平行な回転軸周りに、蓋体２に対して回転可能に保持する。【選択図】図１
2019112130.tif 000002
【特許請求の範囲】
【請求項１】
上面に開口部を有し、ロール状の衛生用薄葉紙を前記開口部から内部に収納する容器本体と、
前記容器本体の前記開口部を覆うように着脱自在に取り付けられ、前記容器本体内部に通じる孔部が形成された蓋体と、
前記容器本体内部に収納された前記衛生用薄葉紙を取り出す取出孔を有する取出部と、
を備え、
前記蓋体は、前記孔部と前記取出孔とが重なるようにして前記取出部を保持する保持部を有し、
前記保持部は、前記取出部を、上下方向と平行な回転軸周りに、前記蓋体に対して回転可能に保持することを特徴とする衛生用薄葉紙収納容器。
【請求項２】
前記保持部は、内部に前記取出部が収容される保持空間を有し、
前記保持空間は、前記取出部が収容された状態において、上下方向及び水平方向の両方向において、前記保持部と前記取出部との間に空隙が生じるように形成されていることを特徴とする請求項１に記載の衛生用薄葉紙収納容器。
【請求項３】
前記取出部と、前記保持空間とは平面視円形状に形成され、
前記保持空間の平面視における直径は、前記取出部の平面視における直径よりも大きいことを特徴とする請求項２に記載の衛生用薄葉紙収納容器。
【請求項４】
前記保持部と前記取出部との間には、潤滑剤が介在していることを特徴とする請求項２又は３に記載の衛生用薄葉紙収納容器。
【請求項５】
前記保持部の内面側には、前記取出部の回転時に回転するローラーが備えられていることを特徴とする請求項２から４のいずれか一項に記載の衛生用薄葉紙収納容器。
【請求項６】
前記保持部の側面には、内面側に向かって凸となる複数の凸部が形成され、当該凸部には、一定の方向に向けて上昇する溝部が形成され、
前記取出部の側面には、複数のレール部が、前記溝部と同方向に向けて上昇するように
形成され、
前記取出部に上方向の力が掛かった際に、前記取出部が、前記溝部に沿って回転しながら上昇した後、前記溝部から外れることを特徴とする請求項２から５のいずれか一項に記載の衛生用薄葉紙収納容器。
【発明の詳細な説明】
【技術分野】
【０００１】
本発明は、ウェットシートやウェットティッシュ等の衛生用薄葉紙を収納する衛生用薄葉紙収納容器に関する。
【背景技術】
【０００２】
従来、家屋の床若しくはトイレ又は人体などを拭くための衛生用薄葉紙を収納する衛生用薄葉紙収納容器として、開口部を有する容器本体の内部にロール状の衛生用薄葉紙を収容し、かつ容器本体の開口部を覆うように取り付けられる蓋体に設けられた孔部に、取出孔を備えた取出部を着脱可能に備え、この取出孔により衛生用薄葉紙に抵抗を掛けて、衛生用薄葉紙に設けられたミシン目にて切り離す構成のものが知られている（例えば、特許文献１及び２参照）。
【先行技術文献】
【特許文献】
【０００３】
【特許文献１】特開２０１２−１９２９６２号公報
【特許文献２】特許第５８５０５２１号公報
【発明の概要】
【発明が解決しようとする課題】
【０００４】
このような衛生用薄葉紙収納容器においては、衛生用薄葉紙の使用時には、ロールから回転するようにして衛生用薄葉紙が引き出されるため、必然的に衛生用薄葉紙はねじれながら引き出されることとなる。したがって、容器から取り出され、切り離された衛生用薄葉紙は、ねじれた状態となっており、使用するためにはこれを広げて使用しなければならず、手間が掛かった。
【０００５】
本発明の課題は、ロール状の衛生用薄葉紙につき、取り出す際にねじれ難い衛生用薄葉紙収納容器を提供することである。
【課題を解決するための手段】
【０００６】
上記課題を解決するために、請求項１に記載の発明は、衛生用薄葉紙収納容器において、
上面に開口部を有し、ロール状の衛生用薄葉紙を前記開口部から内部に収納する容器本体と、
前記容器本体の前記開口部を覆うように着脱自在に取り付けられ、前記容器本体内部に通じる孔部が形成された蓋体と、
前記容器本体内部に収納された前記衛生用薄葉紙を取り出す取出孔を有する取出部と、
を備え、
前記蓋体は、前記孔部と前記取出孔とが重なるようにして前記取出部を保持する保持部を有し、
前記保持部は、前記取出部を、上下方向と平行な回転軸周りに、前記蓋体に対して回転可能に保持することを特徴とする。
本発明によれば、ロール状の衛生用薄葉紙につき、取り出す際にねじれ難い衛生用薄葉紙収納容器を提供することができる。
【０００７】
請求項２に記載の発明は、請求項１に記載の衛生用薄葉紙収納容器において、
前記保持部は、内部に前記取出部が収容される保持空間を有し、
前記保持空間は、前記取出部が収容された状態において、上下方向及び水平方向の両方向において、前記保持部と前記取出部との間に空隙が生じるように形成されていることを特徴とする。
本発明によれば、ロール状の衛生用薄葉紙につき、取り出す際にねじれ難い衛生用薄葉紙収納容器を提供することができる。
【０００８】
請求項３に記載の発明は、請求項２に記載の衛生用薄葉紙収納容器において、
前記取出部と、前記保持空間とは平面視円形状に形成され、
前記保持空間の平面視における直径は、前記取出部の平面視における直径よりも大きいことを特徴とする。
本発明によれば、ロール状の衛生用薄葉紙につき、取り出す際にねじれ難い衛生用薄葉紙収納容器を提供することができる。
【０００９】
請求項４に記載の発明は、請求項２又は３に記載の衛生用薄葉紙収納容器において、
前記保持部と前記取出部との間には、潤滑剤が介在していることを特徴とする。
本発明によれば、取出部が回転し易くなり、より衛生用薄葉紙がねじれ難くなる。
【００１０】
請求項５に記載の発明は、請求項２から４のいずれか一項に記載の衛生用薄葉紙収納容器において、
前記保持部の内面側には、前記取出部の回転時に回転するローラーが備えられていることを特徴とする。
本発明によれば、取出部が回転し易くなり、より衛生用薄葉紙がねじれ難くなる。
【００１１】
請求項６に記載の発明は、請求項２から５のいずれか一項に記載の衛生用薄葉紙収納容器において、
前記保持部の側面には、内面側に向かって凸となる複数の凸部が形成され、当該凸部には、一定の方向に向けて上昇する溝部が形成され、
前記取出部の側面には、複数のレール部が、前記溝部と同方向に向けて上昇するように
形成され、
前記取出部に上方向の力が掛かった際に、前記取出部が、前記溝部に沿って回転しながら上昇した後、前記溝部から外れることを特徴とする。
本発明によれば、取出部が回転し易くなり、より衛生用薄葉紙がねじれ難くなる。
【発明の効果】
【００１２】
本発明によれば、ロール状の衛生用薄葉紙につき、取り出す際にねじれ難い衛生用薄葉紙収納容器を提供することができる。
【図面の簡単な説明】
【００１３】
【図１】実施形態に係る衛生用薄葉紙収納容器の斜視図である。
【図２】図１のII-II部における実施形態に係る衛生用薄葉紙収納容器の断面図である。
【図３】実施形態に係る衛生用薄葉紙収納容器の保持部の斜視図である。
【図４】図３のIV-IV部における実施形態に係る衛生用薄葉紙収納容器の保持部の断面図である。
【図５】実施形態に係る衛生用薄葉紙収納容器の取出部の斜視図である。
【図６】図５のVI-VI部における実施形態に係る衛生用薄葉紙収納容器の取出部の断面図である。
【図７】衛生用薄葉紙収納容器に収納されていない状態の衛生用薄葉紙を、ロールの中心側から引き出す状態を示す図である。なお、図中の矢印は、衛生用薄葉紙Ｐのねじれる方向を示す。
【図８】実施形態に係る衛生用薄葉紙収納容器から衛生用薄葉紙を引き出す状態を示す図である。
【図９】変形例１に係る衛生用薄葉紙収納容器の保持部の、図４と同一の位置における断面図である。
【図１０】図９のX-X部における変形例１に係る衛生用薄葉紙収納容器の保持部の断面図である。
【図１１】変形例２に係る衛生用薄葉紙収納容器の保持部の、図４と同一の位置における断面図である。
【図１２】図１１のXII-XII部における変形例２に係る衛生用薄葉紙収納容器の保持部の断面図である。
【図１３】変形例２に係る衛生用薄葉紙収納容器の取出部の側面図である。
【図１４】変形例２に係る衛生用薄葉紙収納容器の取出部の平面図である。
【発明を実施するための形態】
【００１４】
以下、本発明の実施形態である衛生用薄葉紙収納容器の具体的な態様について、図１から図１４に基づいて説明する。ただし、本発明の技術的範囲は、図示例に限定されるものではない。なお、以下においては、図１に示すように、Ｘ軸、Ｙ軸及びＺ軸並びに前後方向、左右方向及び上下方向を定めて説明する。
【００１５】
［実施形態の構成］
｛全体構成｝
衛生用薄葉紙収納容器１００は、図１及び図２に示すように、上面に開口部１ａを有し、衛生用薄葉紙Ｐを内部に収納する容器本体１と、開口部１ａを覆うように容器本体１に着脱自在に取り付けられる蓋体２と、蓋体２に着脱自在に取り付けられる取出部３と、を備えて構成されている。
蓋体２が、容器本体１に対して着脱自在に構成されているため、容器本体１から蓋体２を取り外した状態で、開口部１ａから、容器本体１の内部に衛生用薄葉紙Ｐを収納したり、内部から衛生用薄葉紙Ｐを取り出したりすることができる。
【００１６】
｛衛生用薄葉紙｝
衛生用薄葉紙Ｐは、例えば、ロール状に巻かれたウェットシートやウェットティッシュ等のロールペーパーであり、Ｚ軸方向に沿った軸心にロール状に巻かれた状態で容器本体１に収納されている。また、衛生用薄葉紙Ｐには、長さ方向に一定間隔をおいてミシン目が施されており、そのミシン目に沿って切り離された衛生用薄葉紙Ｐを、ユーザが使用するようになっている。
なお、以下においては、衛生用薄葉紙Ｐが、図２に示すように、ロールの中心側から引き出される場合について説明するが、これに限られず、衛生用薄葉紙Ｐは、外側から引き出されるものであってもよい。
【００１７】
｛容器本体｝
容器本体１は、図１及び図２に示すように、衛生用薄葉紙Ｐを収納するための容器であり、有底円筒形上に形成され、上面には開口部１ａが設けられている。また、側面の上端部の外面側には、図２に示すように、周方向に沿って雄ネジ部１ｂが設けられている。
容器本体１は、例えば、ＰＥ（ポリエチレン）、ＰＰ（ポリプロピレン）、ＰＥＴ（ポリエチレンテレフタレート）、ＡＢＳ樹脂等から形成されている。
容器本体１は、平面視において、好ましくは直径６０ｍｍ〜２００ｍｍ、より好ましくは６５ｍｍ〜１１０ｍｍの円形となり、Ｚ軸方向（高さ方向）に、好ましくは１７５ｍｍ〜２００ｍｍ、より好ましくは１７５ｍｍ〜１８５ｍｍ、各面の厚みが、好ましくは０．０５ｍｍ〜１０ｍｍ、より好ましくは０．１ｍｍ〜５ｍｍの円筒形状に形成されている。
なお、容器本体１の形状は、衛生用薄葉紙Ｐを収納できるものであればよく、円筒形状には限られない。例えば、平面視において五角形、六角形等となる角柱状に形成されていてもよい。
【００１８】
｛蓋体｝
蓋体２は、図１及び図２に示すように、蓋体本体２１と、小蓋２２と、から構成されている。
【００１９】
（蓋体本体）
蓋体本体２１は、例えば、ＰＥ（ポリエチレン）、ＰＰ（ポリプロピレン）、ＰＥＴ（ポリエチレンテレフタレート）、ＡＢＳ樹脂等から形成されており、下面が開放された円筒形状をなし、天面部２１１と、側面部２１２と、天面部２１１の平面視内周側に下方に向けて凹状に形成される凹部２１３と、取出部３を取り付けるための保持部２１４と、凹部２１３内において保持部２１４を囲むように円筒形状に立設された本体側壁部２１５と、を備えている。
蓋体本体２１は、平面視において、好ましくは直径６０ｍｍ〜２００ｍｍ、より好ましくは６５ｍｍ〜１１０ｍｍの円形となり、Ｚ軸方向（高さ方向）に、好ましくは１５ｍｍ〜５０ｍｍ、より好ましくは３３ｍｍ〜４５ｍｍ、各面の厚みが、好ましくは０．０５ｍｍ〜１０ｍｍ、より好ましくは、０．１ｍｍ〜５ｍｍの円筒形状に形成されている。
なお、蓋体本体２１の形状は、容器本体１に装着して、開口部１ａを覆うことができるものであればよく、円筒形状には限られない。
【００２０】
また、側面部２１２の下端部の内面側には、容器本体１の雄ネジ部１ｂと螺合する雌ネジ部２１２ａが設けられている。これによって、図２に示すように容器本体１と蓋体２は、雄ネジ部１ｂと雌ネジ部２１２ａを介した着脱自在な連結構造をとり、容器本体１から蓋体２を取り外すことが可能となっている。
【００２１】
（天面部）
天面部２１１は、図１及び図２に示すように、円筒形状に形成された蓋体本体２１の上面のうち、凹部２１３以外の外周側の部分である。
【００２２】
（側面部）
側面部２１２は、図１及び図２に示すように、円筒形状に形成された蓋体本体２１の側面を形成する部分である。
【００２３】
（凹部）
凹部２１３は、図１及び図２に示すように、蓋体本体２１上面の天面部２１１の内周側に形成された、下方に凹となる部分であり、図１に示すように深凹部２１３ａと、浅凹部２１３ｂと、からなる。
深凹部２１３ａは、蓋体本体２１上面の中央部に形成された、天面部２１１に対して、下方に凹状となる部分であり、中央に保持部２１４が形成されている。
浅凹部２１３ｂは、深凹部２１３ａのＹ軸方向の両側に形成された、天面部２１１に対して、深凹部２１３ａと比較して小さく下方に凹状となる部分である。
図１に示すように、浅凹部２１３ｂは、平面視における形状が、閉塞時の小蓋２２と略一致し、かつ、深さが小蓋２２の厚みと略一致するように形成されている。浅凹部２１３ｂがこのように形成されていることで、閉塞時の小蓋２２を、浅凹部２１３ｂに嵌め込むことが可能となる。
また、深凹部２１３ａの前端部は、図１に示すように、平面視において閉塞時における小蓋２２よりも前方に大きく形成されており、小蓋２２が嵌め込まれた状態でも若干の隙間が残るように形成されている。これによって、小蓋２２を開ける際に、当該隙間を利用して小蓋２２に指を掛けることが可能となる。
【００２４】
なお、天面部２１１と、凹部２１３の深凹部２１３ａ及び浅凹部２１３ｂの底面と、はいずれもＸＹ面に平行となるように形成されている。
【００２５】
（保持部）
保持部２１４は、蓋体本体２１上面の平面視略中央に形成された、取出部３を着脱自在に保持するための部分であり、図２から図４に示すように、上面部２１４ａ、下面部２１４ｂ、側面部２１４ｃを有し、内部が中空となり、保持空間Ｓが形成される略円柱状に形成されている。なお、保持部２１４は、取出部３を、Ｚ軸を回転軸として回転可能に保持できるものであればよく、必ずしも略円柱状であることを要しない。例えば、内部に取出部３がＺ軸を回転軸として回転可能な空間が確保されれば、平面視において五角形、六角形等となる角柱状に形成されていてもよい。
また、上面部２１４ａの中央部に上孔部２１４ｄが形成され、下面部２１４ｂの中央部に下孔部２１４ｅが形成され、上孔部２１４ｄ及び下孔部２１４ｅを通じて、容器本体１内部の空間と外部とが接続されるようになっている。
【００２６】
（上面部）
上面部２１４ａは、図２から図４に示すように、保持部２１４の上面を形成する部分であり、中央部に上孔部２１４ｄを有する円環状に形成されている。上面部２１４ａは、平面視における直径が、好ましくは２０ｍｍから４０ｍｍ、より好ましくは２５ｍｍから３５ｍｍ、厚みが、好ましくは１ｍｍから５ｍｍ、より好ましくは２ｍｍから４ｍｍに形成される。
また、上面部２１４ａは、ＸＹ面と平行となるように形成されている。
【００２７】
（下面部）
下面部２１４ｂは、図２から図４に示すように、保持部２１４の下面を形成する部分であり、中央部に下孔部２１４ｅを有する円環状に形成されている。下面部２１４ｂは、平面視において上面部２１４ａと合同な形状となり、厚みが、好ましくは１ｍｍから５ｍｍ、より好ましくは２ｍｍから４ｍｍに形成される。
また、下面部２１４ｂは、ＸＹ面と平行となるように形成されている。
【００２８】
（側面部）
側面部２１４ｃは、図２から図４に示すように、保持部２１４の平面視における外周側の面を形成する部分であり、上面部２１４ａ及び下面部２１４ｂに対して垂直に、上面部２１４ａの端部と、下面部２１４ｂの端部とを繋ぐように形成されている。
側面部２１４ｃは、Ｚ軸方向に、好ましくは３ｍｍから１５ｍｍ、より好ましくは５ｍｍから１０ｍｍの高さを有し、厚みが、好ましくは１ｍｍから５ｍｍ、より好ましくは２ｍｍから４ｍｍに形成される。
【００２９】
（上孔部）
上孔部２１４ｄは、図２から図４に示すように、上面部２１４ａの平面視における中央部に形成された円形の孔であり、直径が、好ましくは、１０ｍｍから３０ｍｍ、より好ましくは１５ｍｍから２０ｍｍとなるように形成される。
【００３０】
（下孔部）
下孔部２１４ｅは、図２から図４に示すように、下面部２１４ｂの平面視における中央部に形成された円形の孔であり、直径が、好ましくは、１０ｍｍから３０ｍｍ、より好ましくは１５ｍｍから２０ｍｍとなるように形成される。
【００３１】
（取出部３との大きさの関係）
保持部２１４は、取出部３を蓋体本体２１に着脱自在に保持するための部材であり、上孔部２１４ｄ又は下孔部２１４ｅから、取出部３を保持空間Ｓへと挿入できると共に、衛生用薄葉紙収納容器１００の使用時において、取出部３が、蓋体本体２１から外れないようにこれを保持することができる必要がある。
また、後述のように、保持部２１４は、取出部３を完全に固定することなく、衛生用薄葉紙Ｐの取出し時において、取出部３が、ＸＹ面と平行に回転可能に保持する必要があることから、取出部３と、保持部２１４の内面との間に、一定の間隙を有するように形成される必要がある。
【００３２】
そのため、まず、上面部２１４ａと、下面部２１４ｂとのＺ軸方向の間隔、すなわち保持空間Ｓの高さは、取出部３の上下方向の幅と比較して、大きい必要がある。具体的には、上面部２１４ａと、下面部２１４ｂとのＺ軸方向の間隔が、取出部３の上下方向の幅と比較して、好ましくは１ｍｍから２ｍｍ、より好ましくは１．２ｍｍから１．８ｍｍ大きくなるように形成される。
【００３３】
また、側面部２１４ｃの平面視における内周側の直径、すなわち保持空間Ｓの平面視における直径は、取出部３の平面視における直径と比較して、大きい必要がある。具体的には、側面部２１４ｃの平面視における内周側の直径が、取出部３の平面視における直径と比較して、好ましくは１ｍｍから４ｍｍ、より好ましくは２ｍｍから３ｍｍ大きくなるように形成される。
【００３４】
また、上孔部２１４ｄの平面視における直径は、取出部３の平面視における直径と比較して、小さい必要がある。具体的には、上孔部２１４ｄの平面視における直径が、取出部３の平面視における直径と比較して、好ましくは、１ｍｍから４ｍｍ、より好ましくは２ｍｍから３ｍｍ小さくなるように形成される。
後述のように、取出部３は、弾力性を有する材料によって形成されていることから、この範囲であれば、容易に上孔部２１４ｄから取出部３を挿入できると共に、衛生用薄葉紙収納容器１００の使用時において、取出部３が、保持部２１４から外れてしまうこともない。
【００３５】
また、下孔部２１４ｅの平面視における直径は、取出部３の平面視における直径と比較して、小さい必要がある。具体的には、下孔部２１４ｅの平面視における直径が、取出部３の平面視における直径と比較して、好ましくは、１ｍｍから４ｍｍ、より好ましくは２ｍｍから３ｍｍ小さくなるように形成される。
後述のように、取出部３は、弾力性を有する材料によって形成されていることから、この範囲であれば、容易に下孔部２１４ｅから取出部３を挿入できると共に、衛生用薄葉紙収納容器１００の使用時において、取出部３が、保持部２１４から外れてしまうこともない。
【００３６】
なお、上孔部２１４ｄ又は下孔部２１４ｅのいずれか一方については、後述の取出部３の取出孔３ｂを塞がない範囲で、上記の範囲よりも小さくすることも可能である。この場合、取出部３は、もう一方の孔部から、保持部２１４の保持空間Ｓ内へと挿入されることとなる。
【００３７】
（潤滑剤）
保持部２１４に保持された状態において取出部３が回転し易くするため、保持部２１４の内面側には、潤滑剤が塗布され、取出部３と保持部２１４との間に、潤滑剤が介在しているようにしてもよい。潤滑剤としては、例えば、流動パラフィン、シリコン、グリス、オイル等を用いることができる。
【００３８】
（本体側壁部）
本体側壁部２１５は、図１及び図２に示すように、保持部２１４の周囲を囲むように、凹部２１３の深凹部２１３ａ内において、円筒形状に上方に向けて延出するように形成されている。本体側壁部２１５は、外径が小蓋２２に形成される小蓋側壁部２２２の内径と同一か、ごく僅かに小さくなるように形成されている。
【００３９】
（小蓋）
小蓋２２は、例えば、ＰＥ（ポリエチレン）、ＰＰ（ポリプロピレン）、ＰＥＴ（ポリエチレンテレフタレート）、ＡＢＳ樹脂等から形成され、小蓋本体２２１と、小蓋側壁部２２２とを備える。
【００４０】
（小蓋本体）
小蓋本体２２１は、図１及び図２に示すように、後端部が、蓋体本体２１上面の凹部２１３の後端部付近と連結され、また、閉塞時の平面視における形状が凹部２１３の浅凹部２１３ｂの平面視における形状と略同一となるように形成されており、浅凹部２１３ｂに嵌め込むことができるように形成されている。
【００４１】
（小蓋側壁部）
小蓋側壁部２２２は、小蓋２２の閉塞時において、小蓋本体２２１の下面から下方に向けて円筒形状に延出するように形成されている。また、小蓋側壁部２２２は、内径が本体側壁部２１５の外径と同一か、ごく僅かに大きくなるように形成されている。これによって、小蓋２２の閉塞時に、小蓋側壁部２２２と本体側壁部２１５とが嵌合し、小蓋側壁部２２２と本体側壁部２１５とで囲まれた空間、ひいては当該空間と上孔部２１４ｄ、下孔部２１４ｅ及び後述の取出部３の取出孔３ｂを介して繋がる容器本体１内部の空間の気密性を保つことができる。
【００４２】
なお、本実施形態では、本体側壁部２１５と小蓋側壁部２２２とを嵌合させることによって、容器本体１内部の気密性を保つように構成されているが、容器本体１内部の気密性を保つことができれば、上記と異なる構成とすることも可能である。たとえば、本体側壁部２１５を備えずに、保持部２１４の側面部２１４ｃが、小蓋側壁部２２２と嵌合するようにしてもよい。
また、収納する衛生用薄葉紙Ｐが薬液等を染み込ませたものでなく、乾燥を防ぐ必要がない場合には、特に気密手段を備えない構成としてもよい。
【００４３】
｛取出部｝
取出部３は、図５及び図６に示すように、平面視において円形となる略円柱状に形成された弾性変形可能な部材であり、平面視中央部に形成された凹部３ａと、凹部３ａの平面視略中央に形成された取出孔３ｂと、を備えている。
また、取出部３は、平面視において、直径が、好ましくは６ｍｍから３７ｍｍ、より好ましくは２５ｍｍから３０ｍｍ、Ｚ軸方向において、高さが、好ましくは１ｍｍから１３ｍｍ、より好ましくは５ｍｍから８ｍｍとなるように形成される。
なお、取出部３の形状としては、Ｚ軸を回転軸として保持部２１４内で回転可能な形状であればよく、必ずしも略円柱状であることを要しない。例えば、平面視において五角形、六角形等となる角柱状に形成されていてもよい。
【００４４】
（凹部）
凹部３ａは、取出部３の上面において、周縁部を残して、平面視円形状に下方に向けて凹状となるように形成されている。また、凹部３ａは、その底面が平面となるように形成されている。なお、凹部３ａは必ずしも形成されている必要はなく、取出部３の全体が同じ厚みとなるように形成されていてもよい。
【００４５】
（取出孔）
取出孔３ｂは、容器本体１の内部に収納された衛生用薄葉紙Ｐを取り出すための孔であり、凹部３ａの底面の略中央に、十字型、略星型等の形状となるように、複数の切り込みを入れることにより形成されている。切り込みの長さは、好ましくは５ｍｍ〜３０ｍｍ、より好ましくは１０ｍｍ〜１５ｍｍに形成される。
【００４６】
このように形成された取出孔３ｂによって、引き出された衛生用薄葉紙Ｐに抵抗を掛けることで、使用する衛生用薄葉紙Ｐをミシン目に沿って切り離すと共に、次の衛生用薄葉紙Ｐを取出孔３ｂから端部が出た状態で保持しておくことが可能となる。
【００４７】
なお、図５においては、２本の切り込みによって十字状に取出孔３ｂを形成した場合について図示したが、取出孔３ｂの形状としてはこれに限られず、上記の機能を果たすことが可能であれば任意の形状を用いることができる。
【００４８】
取出部３は、上孔部２１４ｄ又は下孔部２１４ｅから、保持部２１４の保持空間Ｓ内に挿入できると共に、衛生用薄葉紙収納容器１００の使用時において、蓋体本体２１から外れないものである必要があり、かつ、取出孔３ｂに指で衛生用薄葉紙Ｐを押し込むことができる必要があることから、一定の弾力性を有する材料を用いて形成されている必要がある。具体的には、硬度が５０から７０であることが望ましい。なお、上記硬度は、JIS K 6253（タイプAデュロメータ）によって測定されたものである。
具体的には、例えば、シリコンゴムや、スチレン−ブタジエン系、ポリエステル系、ポリエチレン系、ウレタン系等の熱可塑性エラストマーを用いることができる。
【００４９】
［実施形態の効果］
図７に示すように、ロール状の衛生用薄葉紙Ｐをその中心部から引き出す際には、回転するようにして衛生用薄葉紙Ｐが引き出されるため、必然的に衛生用薄葉紙が一定の方向（図７においては、Ｚ軸方向を回転軸とする反時計回り方向）にねじれることとなる。
本実施形態に係る衛生用薄葉紙収納容器１００によれば、取出部３が、保持部２１４内において固定されず、Ｚ軸方向を回転軸として回転可能に保持されていることから、内部の衛生用薄葉紙Ｐがねじれながらロールの中央部から引き出されても、これが取出孔３ｂを通る際に、取出部３が、衛生用薄葉紙Ｐのねじれと同方向（Ｚ軸方向を回転軸とする反時計回り方向）へと回転することとなる。
これによって、図８に示すように、取出孔３ｂを通る際に、衛生用薄葉紙Ｐのねじれが解消され、取り出された衛生用薄葉紙Ｐがねじれた状態となり難いことから、使用前にこれを広げる手間が掛からなくなり、かつ、取出された衛生用薄葉紙に折り目やくせがつき難いため、使用中に衛生用薄葉紙が丸まってしまうことも防止できる。
また、衛生用薄葉紙Ｐがねじれた状態のまま取出孔３ｂを通過すると、これが、取出孔３ｂにおいて引っ掛かってしまい、次のシートを取り出し難くなることがあるが、本実施形態に係る衛生用薄葉紙収納容器１００によれば、衛生用薄葉紙Ｐがねじれた状態のままで取出孔３ｂを通過することがなくなるため、このようなおそれを低減できる。
【００５０】
［変形例］
以下、本実施形態の変形例につき説明する。なお、いずれの変形例についても、以下において説明する部分以外は、上記実施形態に係る衛生用薄葉紙収納容器１００と同様である。
【００５１】
｛変形例１｝
変形例１は、保持部につき、図９及び図１０に示すように、内部に一又は複数のローラー２１４ｆ…を備えた保持部２１４Ａとしたものである。
図９及び図１０においては、下面部２１４ｂにＺ軸方向と垂直な方向を回転軸として回転可能なローラーを備え、側面部２１４ｃにＺ軸方向を回転軸として回転可能なローラーを備えた場合について図示したが、これに限られず、下面部２１４ｂ又は側面部２１４ｃのみにローラー２１４ｆ…を備えてもよいし、上面部２１４ａに備えてもよい。
【００５２】
本変形例によれば、取出部３が保持部２１４Ａ内で回転し易くなり、さらに衛生用薄葉紙Ｐのねじれを解消する効果を高めることができる。
【００５３】
｛変形例２｝
変形例２は、保持部につき、図１１及び図１２に示すように、側面部２１４ｃに、平面視において内面側に向けて凸となる複数の凸部２１４ｃａ…と、凹となる複数の凹部２１４ｃｂ…とを備え、凸部２１４ｃａ…の上下方向中央部付近に、溝部２１４ｃｃ…を形成した、保持部２１４Ｂとし、取出部につき、図１３及び図１４に示すように、側面の上下方向中央部付近に、複数のレール部３ｃ…を備えた取出部３Ａとしたものである。
【００５４】
保持部２１４Ｂにおいては、図１２に示すように、平面視において、凸部２１４ｃａ…と、凹部２１４ｃｂ…とが、側面部２１４ｃの周方向において交互に並ぶように配置されている。
また、溝部２１４ｃｃ…は全て同一形状に、一定方向（図１１においては、反時計回り方向）へと上昇するように形成されている。
【００５５】
取出部３Ａにおいては、図１３及び図１４に示すように、複数のレール部３ｃ…が、平面視において、取出部３Ａの周方向において等間隔に並ぶように配置され、全て同一形状に、一定方向（図１３においては、反時計回り方向）へと、溝部２１４ｃｃ…と同一の角度で上昇するように形成されている。
また、平面視における、レール部３ｃ…の、取出部３Ａの周方向における長さは、凹部２１４ｃｂ…の、側面部２１４ｃの周方向における長さよりも短い。
【００５６】
なお、図１１及び図１２においては、溝部２１４ｃｃ…が４か所に形成され、図１３及び図１４においては、レール部３ｃ…が４か所に形成される場合につき図示したが、具体的な形成数はこれに限られない。ただし、溝部２１４ｃｃ…と、レール部３ｃ…とは、同数形成されている必要がある。
また、溝部２１４ｃｃ…にレール部３ｃ…が進入し易いように、溝部２１４ｃｃ…は、レール部３ｃ…よりも幅が広く形成されている必要がある。また、溝部２１４ｃｃ…の下端部は、取出部３Ａが下面部２１４ｂ上に載置された状態において、レール部３ｃ…の上端部と略同一の高さとなるように形成されていることが望ましい。
【００５７】
本変形例によれば、取出部３Ａが、上方向の力を受けた際に、溝部２１４ｃｃ…に沿って回転しながら上昇していくことで、保持部２１４Ｂ内で取出部３Ａが反時計回り方向に回転することとなる。また、取出部３Ａが、溝部２１４ｃｃ…に沿って上昇しきると、凹部２１４ｃｂ…において、レール部３ｃ…が溝部２１４ｃｃ…からはずれ、取出部３Ａが下面部２１４ｂ上へと落下することから、取出部３Ａに、連続的に上昇と下降とを繰り返させることができる。
これによって、取出部３Ａが保持部２１４Ｂ内で回転し易くなり、さらに衛生用薄葉紙Ｐのねじれを解消する効果を高めることができる。
【００５８】
なお、図１１から図１４においては、衛生用薄葉紙Ｐが引き出される際に反時計回りにねじれる場合を想定し、取出部３Ａが上方向の力を受けた際に反時計回りに回転するように、溝部２１４ｃｃ…と、レール部３ｃ…とが、反時計回りに上昇していくように形成された場合につき図示したが、反対に、衛生用薄葉紙Ｐが引き出される際に時計回りにねじれる場合においては、取出部３Ａが上方向の力を受けた際に時計回りに回転するように、溝部２１４ｃｃ…と、レール部３ｃ…とが、時計回りに上昇していくように形成されている必要がある。
また、図示したのとは反対に、保持部にレール部を備え、取出部に溝部を備えてもよい。また、保持部には、さらに変形例１と同様のローラーを備えてもよい。
【符号の説明】
【００５９】
１００  衛生用薄葉紙収納容器
１  容器本体
１ａ  開口部
２  蓋体
２１４、２１４Ａ、２１４Ｂ  保持部
２１４ｃａ  凸部
２１４ｃｃ  溝部
２１４ｄ  上孔部（孔部）
２１４ｅ  下孔部（孔部）
２１４ｆ  ローラー
３、３Ａ  取出部
３ｂ  取出孔
３ｃ  レール部
Ｐ  衛生用薄葉紙
Ｓ  保持空間
【図１】
2019112130.tif 000003
【図２】
2019112130.tif 000004
【図３】
2019112130.tif 000005
【図４】
2019112130.tif 000006
【図５】
2019112130.tif 000007
【図６】
2019112130.tif 000008
【図７】
2019112130.tif 000009
【図８】
2019112130.tif 000010
【図９】
2019112130.tif 000011
【図１０】
2019112130.tif 000012
【図１１】
2019112130.tif 000013
【図１２】
2019112130.tif 000014
【図１３】
2019112130.tif 000015
【図１４】
2019112130.tif 000016